(57)【要約】  画面を表示するディスプレイと、ディスプレイに配置されたタッチパネルとを具備する。そして、タッチパネルへのユーザによるタッチ操作、ドラッグ操作及びリリース操作の一連の連続する操作に従い、ユーザによるタッチ操作時のタッチパネルへのタッチ領域に応じた１以上のアクション領域の表示からアクション領域の選択及びそのアクション領域に対応したアクションの実行を受け付ける。
2011152335.tif 000002
【特許請求の範囲】
【請求項１】
画面を表示するディスプレイと、
前記ディスプレイに配置されたタッチパネルと、
前記タッチパネルへのタッチ操作により前記タッチパネルへのタッチ領域に応じた１以上のアクション領域の表示を行うように前記ディスプレイを制御し、前記タッチ操作に続く、ドラッグ操作及びリリース操作に従って、前記１以上のアクション領域の表示からの前記アクション領域の選択及び該アクション領域に対応したアクションの実行を受け付ける制御部と、
を備えたことを特徴とするタッチパネル入力を用いた電子機器。
【請求項２】
前記制御部は、
前記タッチパネルの前記タッチ領域に対応する１以上のアクションを抽出するアクション抽出部と、
前記タッチ領域の周囲に前記抽出された１以上のアクションにそれぞれ対応した１以上のアクション領域を前記ディスプレイに表示するように制御する表示制御部と、
前記タッチ操作に引き続く、何れかの前記アクション領域へのドラッグ操作に応じてアクション領域を選択し、前記ドラッグ操作に引き続く前記選択されたアクション領域からのリリース操作に応じて当該選択されたアクションの実行を開始する実行開始部と、
を有することを特徴とする請求項１に記載のタッチパネル入力を用いた電子機器。
【請求項３】
前記表示制御部は、前記タッチ領域に当該タッチ領域に対応する選択決定のためのアクション領域を表示し、前記タッチ領域の周囲に前記アクション抽出部で抽出された１以上のアクション領域を表示することを特徴とする請求項２に記載のタッチパネル入力を用いた電子機器。
【請求項４】
前記表示制御部は、前記ディスプレイに、前記抽出された１以上のアクション領域を前記タッチ領域を中心として放射状に表示することを特徴とする請求項２に記載のタッチパネル入力を用いた電子機器。
【請求項５】
前記表示制御部は、前記ディスプレイに、前記タッチ操作から所定時間後に前記１以上のアクション領域を表示することを特徴とする請求項２に記載のタッチパネル入力を用いた電子機器。
【請求項６】
表示画面を有するディスプレイと、前記ディスプレイに配置されたタッチパネルと、前記ディスプレイ及びタッチパネルと接続される制御部とを有する、タッチパネル入力を用いた電子機器による操作受付方法であって、
前記制御部により、前記タッチパネルへのタッチ操作により前記タッチパネルへのタッチ領域に応じた１以上のアクション領域の表示を行うように前記ディスプレイを制御し、前記タッチ操作に続く、ドラッグ操作及びリリース操作に従って、前記１以上のアクション領域の表示からの前記アクション領域の選択及び該アクション領域に対応したアクションの実行を受け付ける操作受付ステップを含むことを特徴とする、タッチパネル入力を用いた電子機器の操作受付方法。
【請求項７】
前記操作受付ステップは、
前記タッチパネルのタッチ操作時に当該タッチ領域に対応する１以上のアクションを抽出する抽出ステップと、
前記タッチ領域の周囲に前記抽出された１以上のアクションにそれぞれ対応した１以上のアクション領域を前記ディスプレイに表示する表示ステップと、
前記タッチ操作に引き続く、何れかの前記アクション領域へのドラッグ操作に応じてアクションを選択し、前記ドラッグ操作に引き続く前記選択されたアクション領域からのリリース操作に応じて当該選択されたアクションの実行を開始する実行開始ステップと、
を含むことを特徴とする請求項６に記載のタッチパネル入力を用いた電子機器の操作受付方法。
【請求項８】
前記表示ステップにおいて、前記ディスプレイに前記タッチ領域に当該タッチ領域に対応する選択決定のためのアクション領域を表示し、前記タッチ領域の周囲に前記抽出手段で抽出された１以上のアクション領域を表示することを特徴とする請求項７に記載のタッチパネル入力を用いた電子機器の操作受付方法。
【請求項９】
前記表示ステップにおいて、前記ディスプレイに前記抽出された１以上のアクション領域を前記タッチ領域を中心として放射状に表示することを特徴とする請求項７に記載のタッチパネル入力を用いた電子機器の操作受付方法。
【請求項１０】
前記表示ステップにおいて、前記ディスプレイにタッチ操作から所定時間後に前記１以上のアクション領域を表示することを特徴とする請求項７に記載のタッチパネル入力を用いた電子機器の操作受付方法。
【発明の詳細な説明】
【技術分野】
【０００１】
本発明は、タッチパネルを用いて入力を行う電子機器及びそれによる操作受付方法に関するものである。
【背景技術】
【０００２】
一般に、タッチパネルを用いた入力方法では、直感的な操作が可能であるが、タッチ／リリースでは実行できるアクションが１種類に限られてしまう。ほとんどの場合、その操作はタッチ領域を選択／決定するアクションに割り当てられ、その他のアクションを使い分けながら利用することができない。例えば、ブラウザにてリンク先を選択する場合には、別ウィンドウでリンク先の内容を表示したいというニーズがあるが、たいていの場合には、別に設けられている機能メニューからモードを切り替えてリンクを選択することになる。【０００３】
具体的には、図１に示すようにタッチパネルを有するブラウザ機能等において、表示中のＷＥＢページ（ホームページ）のハイパーリンク（以下、リンクという）先を選択する場合には、ＷＥＢページの表示画面１１を指１３でタッチし、リンク先のＷＥＢページの表示画面１２に切り換える。リンク先を別ウィンドウで開くことや、リンク先を保存するという動作等は、別に設けられている選択モードの変更を実施した後にリンク先を選択する等の一連の操作の中で実行することができない。【０００４】
従来のタッチパネル入力を用いた装置としては、例えば、特許文献１乃至５等に記載されているものがある。特許文献１には、第１のタッチでタッチ位置を中心として複数のメニュー項目を環状に表示し、第２のタッチでメニュー項目を選択することが記載されている。特許文献１の方法は、タッチ操作を１回、２回と行うことでメニュー項目の表示と選択を行うものであり、タッチ操作、ドラッグ操作、リリース操作の一連の連続する操作に従ってアクション領域の表示から選択及びアクションの実行開始までを行うものではない。【０００５】
特許文献２には、タッチパネルの操作の際にパネルの接触した位置にポインタを表示させると共に、ポインタに隣接する位置にマウスでの左クリック、右クリック、ドラッグ等の動作を実行させるための選択メニューを表示し、それらの選択メニューの表示項目を指やタッチペン等で選択することによりマウスと同等の動作を行わせることが記載されている。【０００６】
特許文献２の方法は、タッチパネルと同等の操作を行うため、タッチ位置周辺に左クリック、右クリック、ドラッグ等の動作を実行させるための選択メニューを表示するものであり、特許文献１と同様にタッチ操作、ドラッグ操作、リリース操作の一連の連続する操作に従ってアクション領域の表示から選択及びアクションの実行開始までを行うものではない。【０００７】
特許文献３には、ディスプレイ上に円形のメニュー表示パターンを表示し、表示されたメニュー表示パターンのメニュー項目のうち選択したいメニュー項目の位置にカーソルを移動させてそのメニュー項目を指示することが記載されている。特許文献３の方法は、ディスプレイ上に円形のメニュー項目を表示し、カーソル移動によってメニュー項目の選択を行うものであり、タッチ操作、ドラッグ操作、リリース操作の一連の連続する操作に従ってアクション領域の表示から選択及びアクションの実行開始までを行うものではない。その他に特許文献４、５等がある。
【先行技術文献】
【特許文献】
【０００８】
【特許文献１】特開２００６−１３９６１５号公報
【特許文献２】特開２００７−２２６５７１号公報
【特許文献３】特開昭６３−２８４６２４号公報
【特許文献４】特開２００５−０１８７９２号公報
【特許文献５】特開２００８−０１６０５６号公報
【発明の概要】
【発明が解決しようとする課題】
【０００９】
特許文献１乃至５の技術では、上述のようにタッチパネルを有するブラウザ機能等において、リンク先を別ウィンドウで開くことや、リンク先を保存するという動作等は、別に設けられている選択モードの変更を実施した後にリンク先を選択する等一連の操作の中で実行することができない。【００１０】
何故なら、上記従来技術は、タッチ操作毎にメニュー項目の表示やメニュー項目の選択等を行い、タッチ操作、ドラッグ操作、リリース操作の一連の操作に従って操作受付を行うものではないからである。【００１１】
本発明の典型的(exemplary)な目的は、タッチ操作、ドラッグ操作、リリース操作の一連の連続する操作でアクション領域の表示からアクションの実行開始までの操作を行え、操作性を向上させることが可能なタッチパネル入力を用いた電子機器及びそれによる操作受付方法を提供することにある。
【課題を解決するための手段】
【００１２】
本発明に係る典型的なタッチパネル入力を用いた電子機器は、画面を表示するディスプレイと、
前記ディスプレイに配置されたタッチパネルと、
前記タッチパネルへのタッチ操作により前記タッチパネルへのタッチ領域に応じた１以上のアクション領域の表示を行うように前記ディスプレイを制御し、前記タッチ操作に続く、ドラッグ操作及びリリース操作に従って、前記１以上のアクション領域の表示からの前記アクション領域の選択及び該アクション領域に対応したアクションの実行を受け付ける制御部と、
を備えたことを特徴とする。【００１３】
また、本発明に係る典型的なタッチパネル入力を用いた電子機器の操作受付方法は、表示画面を有するディスプレイと、前記ディスプレイに配置されたタッチパネルと、前記ディスプレイ及びタッチパネルと接続される制御部とを有する、タッチパネル入力を用いた電子機器による操作受付方法であって、
前記制御部により、前記タッチパネルへのタッチ操作により前記タッチパネルへのタッチ領域に応じた１以上のアクション領域の表示を行うように前記ディスプレイを制御し、前記タッチ操作に続く、ドラッグ操作及びリリース操作に従って、前記１以上のアクション領域の表示からの前記アクション領域の選択及び該アクション領域に対応したアクションの実行を受け付ける操作受付ステップを含むことを特徴とする。
【発明の効果】
【００１４】
本発明によれば、ユーザによるタッチ操作、ドラッグ操作、リリース操作の一連の操作の中で、アクション領域の抽出、アクション領域の表示、アクション領域の選択、アクションの実行という操作を行うことができ、操作性を著しく向上させることができる。
【図面の簡単な説明】
【００１５】
【図１】背景技術となるタッチパネル入力による画面遷移を説明する図である。
【図２】本発明に係るタッチパネル入力を用いた電子機器の一実施形態を示すブロック図である。
【図３】図１の実施形態の動作を説明するフローチャートである。
【図４】図１の実施形態のタッチパネル入力による画面遷移の具体的な例を説明する図である。
【図５】表示された複数のアクション領域間をドラッグする動作を示す図である。
【図６】本発明に係るタッチパネル入力を用いた電子機器をコンピュータを用いて構成する場合の構成を示すブロック図である。
【発明を実施するための形態】
【００１６】
次に、発明を実施するための典型的な実施形態について図面を参照して詳細に説明する。図２は本発明に係るタッチパネル入力を用いた電子機器の一実施形態を示すブロック図である。図２に示すように、制御部１０１はディスプレイ１０５とタッチパネル１０６に接続される。
【００１７】
ディスプレイ１０５上には入力装置としてタッチパネル１０６が配置され、指やタッチペン等を用いて入力操作をすることができる。本実施形態では、後述するようにユーザが指やタッチペン等でタッチパネル１０６に対してタッチ／ドラッグ／リリースの一連の連続する操作を行うことで様々なアクションを実行することが可能となる。
【００１８】
制御部(controller)１０１は、ディスプレイ１０５の表示を制御するとともに、タッチパネル１０６へのユーザによるタッチ操作、ドラッグ操作及びリリース操作の一連の連続する操作に従って、タッチパネル１０６へのタッチ領域に応じたアクション領域の表示、アクションの選択及び実行を受け付ける。
【００１９】
アクション抽出部１０３は、ユーザがタッチパネル１０４のどの領域にタッチしたかを示す信号を受けると、タッチ領域に対応する１以上のアクションを抽出する。表示制御部１０２はタッチ領域の周囲に、抽出された１以上のアクションにそれぞれ対応した１以上のアクション領域をディスプレイ１０５に表示する。ユーザはタッチ操作に引き続き、タッチ領域の周囲の何れかのアクション領域へドラッグ操作を行い、ドラッグ操作後にリリース操作を行う。実行開始部１０４はタッチ操作後のドラッグ操作でアクション領域を選択し、その後のリリース操作で、選択されたアクション領域に対応するアクションの実行を開始する。
【００２０】
なお、本実施形態ではアクション領域が１つの場合にも、ドラッグ操作とそれに続くリリース操作を行うことになる。アクション領域が１つの場合にも、ドラッグ操作とそれに続くリリース操作を行うことで、タッチ領域上に１つのアクション領域を表示してリリースでアクションを開示する場合に比べて、誤ってタッチ領域にタッチした場合に生ずる誤動作をなくすことができる。
【００２１】
本実施形態では、ユーザのタッチ操作により選択された領域（オブジェクト）に対応する複数のアクション領域をタッチ領域の周辺に表示し、そのタッチ操作に引き続くドラッグに応じてアクション領域の選択を行い、更にリリース操作により選択されたアクションの決定を行う。そうすることで、タッチ操作からリリース操作までの一連の連続する操作の中で、タッチ領域に応じてアクション領域の抽出、アクション領域の表示、アクションの選択、アクションの実行開始という操作を簡単に行うことができ、操作性を著しく向上させることができる。
【００２２】
本実施形態では、タッチ領域の周囲に、抽出された１以上のアクションにそれぞれ対応した１以上のアクション領域をディスプレイ１０５に表示しているが、抽出するアクションが２以上の場合には、タッチ領域の周囲に加えてタッチ領域上にもアクション領域を表示してもよい。タッチ領域上にアクション領域を表示した場合には、タッチ領域に表示されたアクション領域でリリース操作を行うことでアクションの実行を開始する。
【００２３】
図３は本実施形態の動作を説明するフローチャート、図４及び図５はタッチパネル入力による画面遷移の具体的な例を説明する図である。図３〜図５では、タッチ領域の周囲に加えてタッチ領域上にもアクション領域を表示した例について説明する。タッチ領域上にもアクション領域を表示しない場合には、図３のステップＳ１０３、Ｓ１０４が不要となり、図４の「開く」のアクションがタッチ領域ではなく、タッチ領域の周囲に表示されることになる。
【００２４】
本実施形態では、ブラウザにて表示されているリンク先を持つＷＥＢページを例に挙げて説明する。図３のフローチャートの処理は制御部１０１が実行する処理である。
【００２５】
まず、ユーザがディスプレイ１０５によってタッチパネル１０６に表示される表示画面１１のコンテンツ表示内容の中にあるハイパーリンク先（図４中に破線で囲んで示す「ここ」）を指やタッチペン等を用いてタッチ（選択）すると、制御部１０１のアクション抽出部１０３はタッチパネル１０６からの信号を受けて、タッチを検出し（ステップＳ１００）、リンクに対応する複数のアクションを抽出する（ステップＳ１０１）。そして、表示制御部１０２はディスプレイ１０５でタッチ領域およびその周囲に実施可能な複数のアクション領域が表示されるように表示制御する（ステップＳ１０２）。
【００２６】
その際の複数のアクションを抽出する実施形態について説明する。アクション抽出部１０３は、例えば、ＷＥＢページのリンク箇所には、「リンク先を開く」、「リンク先に表示を切り換える」、「リンク先を新しいウィンドウで表示する」、「リンク先をブックマークに保存する」等というアクションが対応するようなテーブルを予めメモリ上に用意しておく。
【００２７】
また、アクション抽出部１０３は、例えば、ＷＥＢページの画像箇所には、「画像を開く」、「画像に表示を切り換える」、「画像を新しいウィンドウで表示する」、「画像を保存する」等というアクションが対応するようなテーブルを予めメモリ上に用意しておく。アクション抽出部１０３はタッチパネル１０４上のタッチされた位置がリンク箇所であるのか、或いは画像箇所等であるかによって抽出するものを切り換える。ＷＥＢページのリンク箇所（図４の「ここから」）がタッチされた場合にはそのテーブルからアクションを抽出する。なお、図４には「ＷＥＢページの画像箇所」は示していないが、例えば、図４のＷＥＢページ中に何らかの画像があり、それがタッチされた場合を想定している。
【００２８】
図４の例では、表示画面１１の「リンク箇所（ここから）」がタッチされ、それに対応する「開く」の他に「新ウィンドウで開く」、「ブックマークに登録」等の複数のアクションが予め用意されたテーブルから抽出される。そして、表示制御部１０２は、ディスプレイ１０５の表示画面１４において、タッチ位置に「開く」を表示し、タッチ領域の周囲に「新ウィンドウで開く」、「ブックマークに登録」等の複数のアクション領域が表示されるように、ディスプレイ１０５を制御する。その際、図４に示すようにタッチ領域の周辺に実施可能な複数のアクション領域が放射状に表示され、即ち、タッチ領域を中心として実施可能な複数のアクション領域１５が放射状に表示される。また、タッチしているタッチ領域には、最も利用頻度の高い選択決定をするためのアクション領域が表示され、その周囲に抽出された複数のアクション領域が表示される。
【００２９】
即ち、図４に示すようにタッチしているタッチ領域には、「リンク先を開く」ことを示す「開く」が表示され、ユーザはタッチした指等のタッチ操作に引き続いてドラッグ（引きずる）せずに、指等をそのまま離すと、制御部１０１の実行開始部１０４はタッチパネル１０６からの信号を受けて、リリースを検出し（ステップＳ１０３のリリース）、リンク先を決定したとして、リンク先の内容をディスプレイ１０５に表示する（ステップＳ１０４）。つまり、ユーザが「開く」を選択（タッチとリリース）すると、表示画面１２のように、リンク先がディスプレイ１０５に表示される。その際、アクション領域の表示は元の画面に重ねて半透明表示とするのが良い。
【００３０】
また、図５に示すようにユーザによりタッチした指等をタッチ領域からそのまま実施しようとするアクション領域までドラッグ（引きずる）されると、制御部１０１の実行開始部１０４はタッチパネル１０６からの信号を受けて、ドラッグを検出し（ステップＳ１０３のドラッグ）、そのドラッグしたアクション領域に対応するアクションを選択する（ステップＳ１０５）。次いで、ユーザによりアクション領域を選択した状態で指等が選択したアクション領域からリリースし、実行開始部１０４はタッチパネル１０６からの信号を受けて、リリースを検出すると（ステップＳ１０６）、そのアクションを実行する（ステップＳ１０７）。
【００３１】
このようにタッチパネル１０４へのユーザによるタッチ操作、ドラッグ操作及びリリース操作の一連の連続する操作に従って、制御部１０１は、ユーザによるタッチ操作時のタッチパネル１０４へのタッチ領域に応じたアクション領域の表示、表示されたアクション領域からのアクション領域の選択、選択されたアクション領域に対応するアクションの実行を受け付けるものである。
【００３２】
図５の例では、破線で示すようにユーザが「開く」にタッチした状態から「ブックマークに登録」までドラッグすると、「ブックマークに登録」が選択され、更に、ユーザが「ブックマークに登録」の位置で指等をリリースすると、選択中にリンク先がブックマーク一覧に登録される。
【００３３】
本実施形態では、ユーザのタッチ操作により選択された領域（オブジェクト）に対応する複数のアクション領域をタッチ領域の周辺に表示し、そのタッチ操作に引き続くドラッグに応じてアクション領域の選択を行い、更にリリース操作により選択されたアクションの決定を行う。そうすることで、タッチ操作からリリース操作までの一連の連続する操作の中で、タッチ領域に応じてアクション領域の抽出、アクション領域の表示、アクションの選択、アクションの実行開始という操作を簡単に行うことができ、操作性を著しく向上させることができる。
【００３４】
なお、以上の実施形態では、ユーザによるタッチ領域のタッチ直後にタッチ領域の周辺に実施可能な複数のアクションを表示すると説明したが、複数のアクション領域の視認性が悪くなる場合には、複数のアクション領域を予め設定された所定のドラッグ時間経過後に表示してもよい。
【００３５】
また、本発明は、その他にも様々な形態がある。例えば、制御部１０１のアクション抽出部１０３が選択されたアクションの頻度を計測し、この結果を基に表示制御部が選択された頻度が最も大きいアクションをドラッグ不要の領域（タッチ領域）に表示し、その周囲に、例えば、頻度が大きい順に上、右、下、左というように並べる形態がある。つまり、タッチ領域の周囲に頻度が大きい順に所定方向に沿ってアクション領域を並べる形態がある。
【００３６】
更に、表示制御部１０２は、所定時間以上タッチされ続けられたらアクション領域を表示するのではなく、例えば、ダブルタッチされたらアクション領域を表示しても良いし、上述のようにアクション領域の表示を半透明表示しても良い。更に、所定時間アクション領域が表示された状態でタッチし続けられたら、アクション領域の表示を止めてアクション選択を禁止することにより誤タッチ対策を行う形態もある。
【００３７】
その際、実行開始部１０４は、タッチ領域から表示されたアクション領域までのドラッグ操作時のドラッグ時間、或いは選択されたアクション領域からのリリース操作時のリリース時間を計測しても良い。そして、実行開始部１０４は、所定時間以上のドラッグ時間を要していた場合や所定時間以上のリリース時間を要していた場合には、操作に何らかのミスがあったと判断し、そのドラッグ操作やリリース操作を無効にしても良い。
【００３８】
なお、以上の実施形態のタッチパネル入力を用いた電子機器は、ハードウェアによって実現される例を示した。しかし、タッチパネル入力を用いた電子機器は、コンピュータをその情報処理システムとして機能させるためのプログラムをコンピュータがコンピュータ読み取り可能な記録媒体から読み込んで実行することによっても実現できる。また、インターネット等の通信ネットワークを介してプログラムをダウンロードしてフラッシュメモリ等の記憶部に記憶して、そのプログラムを実行することによっても実現できる。
【００３９】
また、以上の実施形態のタッチパネル入力を用いた電子機器の操作方法は、ハードウェアによって実現される例を示した。しかし、タッチパネル入力を用いた電子機器の操作方法は、コンピュータにその方法を実行させるためのプログラムをコンピュータがコンピュータ読み取り可能な記録媒体から読み込んで実行することによっても実現できる。また、インターネット等の通信ネットワークを介してプログラムをダウンロードしてフラッシュメモリ等の記憶部に記憶して、そのプログラムを実行することによっても実現できる。
【００４０】
図６は本発明に係るタッチパネル入力を用いた電子機器をコンピュータを用いて構成する場合の構成を示すブロック図である。図中２０１は本電子機器内の各部を制御するＣＰＵ、２０２はメモリ、２０３は液晶表示装置等の画面を表示するディスプレイ、２０４はディスプレイ２０３上に配置されるタッチパネルである。
【００４１】
ディスプレイ２０３には入力装置としてタッチパネル２０４が配置され、指やタッチペン等を用いて入力操作をすることができる。本実施形態では、ユーザが指やタッチペン等でタッチパネル２０４に対してタッチ／ドラッグ／リリースの一連の連続する操作を行うことで様々なアクションを実行することが可能となる。ＣＰＵ２０１が実行するプログラムはメモリ２０２上に格納されている。ＣＰＵ２０１の演算処理に必要なデータもメモリ２０２に記憶される。メモリ２０２はプログラムを格納するＲＯＭ等のメモリと演算処理に必要なデータを記憶するＲＡＭ等のメモリに分けてもよい。プログラムは図３に示すようなフローチャートを実行する。タッチ領域上にアクション領域を表示しない場合には、図３のステップＳ１０３、Ｓ１０４が不要となる。
【００４２】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。
【００４３】
本願は、２０１０年５月３１日に出願された特願２０１０−１２４６２３号を基礎とする優先権を主張するものである。そして、特願２０１０−１２４６２３号に開示された全ての内容は本願の内容に含まれる。
【００４４】
また、上記実施形態の一部又は全部は、以下の付記のようにも記載されうるが、以下には限らない。
【００４５】
（付記１）
画面を表示するディスプレイと、
前記ディスプレイに配置されたタッチパネルと、
前記タッチパネルへのタッチ操作により前記タッチパネルへのタッチ領域に応じた１以上のアクション領域の表示を行うように前記ディスプレイを制御し、前記タッチ操作に続く、ドラッグ操作及びリリース操作に従って、前記１以上のアクション領域の表示からの前記アクション領域の選択及び該アクション領域に対応したアクションの実行を受け付ける制御部と、
を備えたことを特徴とするタッチパネル入力を用いた電子機器。
【００４６】
（付記２）
前記制御部は、
前記タッチパネルの前記タッチ領域に対応する１以上のアクションを抽出するアクション抽出部と、
前記タッチ領域の周囲に前記抽出された１以上のアクションにそれぞれ対応した１以上のアクション領域を前記ディスプレイに表示するように制御する表示制御部と、
前記タッチ操作に引き続く、何れかの前記アクション領域へのドラッグ操作に応じてアクションを選択し、前記ドラッグ操作に引き続く前記選択されたアクション領域からのリリース操作に応じて当該選択されたアクションの実行を開始する実行開始部と、
を有することを特徴とする付記１に記載のタッチパネル入力を用いた電子機器。
【００４７】
（付記３）
前記表示制御部は、前記タッチ領域に当該タッチ領域に対応する選択決定のためのアクション領域を表示し、前記タッチ領域の周囲に前記アクション抽出部で抽出された１以上のアクション領域を表示することを特徴とする付記２に記載のタッチパネル入力を用いた電子機器。
【００４８】
（付記４）
前記表示制御部は、前記ディスプレイに、前記抽出された１以上のアクション領域を前記タッチ領域を中心として放射状に表示することを特徴とする付記２に記載のタッチパネル入力を用いた電子機器。
【００４９】
（付記５）
前記表示制御部は、前記ディスプレイに、前記タッチ操作から所定時間後に前記１以上のアクション領域を表示することを特徴とする付記２に記載のタッチパネル入力を用いた電子機器。
【００５０】
（付記６）
前記表示制御部は、前記ディスプレイに前記抽出された１以上のアクション領域を半透明表示することを特徴とする付記２乃至５のいずれか１項に記載のタッチパネル入力を用いた電子機器。
【００５１】
（付記７）
前記表示制御部は、前記ドラッグ操作に応じて選択されるアクション領域の頻度が最も大きいアクション領域を前記ディスプレイの前記タッチ領域に表示し、その周囲に前記頻度が大きい順に所定方向に沿って前記アクション領域を表示することを特徴とする付記２乃至５のいずれか１項に記載のタッチパネル入力を用いた電子機器。
【００５２】
（付記８）
前記表示制御部は、前記ディスプレイに前記タッチ操作時に予め決められた回数タッチされた時に前記アクション領域を表示することを特徴とする付記２乃至５のいずれか１項に記載のタッチパネル入力を用いた電子機器。
【００５３】
（付記９）
前記表示制御部は、前記ディスプレイに前記アクション領域を表示した状態で、前記タッチ領域に所定時間以上タッチされた場合には、前記アクション領域の表示を止めてアクション選択を禁止することを特徴とする付記２乃至５のいずれか１項に記載のタッチパネル入力を用いた電子機器。
【００５４】
（付記１０）
前記実行開始部は、前記ドラッグ操作時のドラッグ時間又は前記リリース操作時のリリース時間が所定時間以上であった場合には、前記ドラッグ操作又は前記リリース操作を無効にすることを特徴とする付記２乃至５のいずれか１項に記載のタッチパネル入力を用いた電子機器。
【００５５】
（付記１１）
表示画面を有するディスプレイと、前記ディスプレイに配置されたタッチパネルと、前記ディスプレイ及びタッチパネルと接続される制御部とを有する、タッチパネル入力を用いた電子機器による操作受付方法であって、
前記制御部により、前記タッチパネルへのタッチ操作により前記タッチパネルへのタッチ領域に応じた１以上のアクション領域の表示を行うように前記ディスプレイを制御し、前記タッチ操作に続く、ドラッグ操作及びリリース操作に従って、前記１以上のアクション領域の表示からの前記アクション領域の選択及び該アクション領域に対応したアクションの実行を受け付ける操作受付ステップを含むことを特徴とする、タッチパネル入力を用いた電子機器の操作受付方法。
【００５６】
（付記１２）
前記操作受付ステップは、
前記タッチパネルへのタッチ操作時に当該タッチ領域に対応する１以上のアクションを抽出する抽出ステップと、
前記タッチ領域の周囲に前記抽出された１以上のアクションにそれぞれ対応した１以上のアクション領域を前記ディスプレイに表示する表示ステップと、
前記タッチ操作に引き続く、何れかの前記アクション領域へのドラッグ操作に応じてアクション領域を選択し、前記ドラッグ操作に引き続く前記選択されたアクション領域からのリリース操作に応じて当該選択されたアクションの実行を開始する実行開始ステップと、
を含むことを特徴とする付記１１に記載のタッチパネル入力を用いた電子機器の操作受付方法。
【００５７】
（付記１３）
前記表示ステップにおいて、前記タッチ領域に当該タッチ領域に対応する選択決定のためのアクション領域を表示し、前記タッチ領域の周囲に前記抽出ステップで抽出された１以上のアクション領域を表示することを特徴とする付記１２に記載のタッチパネル入力を用いた電子機器の操作受付方法。
【００５８】
（付記１４）
前記表示ステップにおいて、前記ディスプレイに、前記抽出された１以上のアクション領域を前記タッチ領域を中心として放射状に表示することを特徴とする付記１２に記載のタッチパネル入力を用いた電子機器の操作受付方法。
【００５９】
（付記１５）
前記表示ステップにおいて、前記ディスプレイに、タッチ操作から所定時間後に前記１以上のアクション領域を表示することを特徴とする付記１２に記載のタッチパネル入力を用いた電子機器の操作受付方法。
【００６０】
（付記１６）
前記表示ステップにおいて、前記ディスプレイに前記抽出された１以上のアクション領域を半透明表示することを特徴とする付記１２乃至１５のいずれか１項に記載のタッチパネル入力を用いた電子機器の操作受付方法。
【００６１】
（付記１７）
前記表示ステップでは、前記ドラッグ操作に応じて選択されるアクション領域の頻度が最も大きいアクション領域が前記ディスプレイの前記タッチ領域に表示され、その周囲に前記頻度が大きい順に所定方向に沿って前記アクション領域が表示されることを特徴とする付記１２乃至１５のいずれか１項に記載のタッチパネル入力を用いた電子機器の操作受付方法。
【００６２】
（付記１８）
前記表示ステップにおいて、前記ディスプレイに前記タッチ操作時に予め決められた回数タッチされた時に前記アクション領域を表示することを特徴とする付記１２乃至１５のいずれか１項に記載のタッチパネル入力を用いた電子機器の操作受付方法。
【００６３】
（付記１９）
前記表示ステップにおいて、前記ディスプレイに前記アクション領域を表示した状態で、前記タッチ領域に所定時間以上タッチされた場合には、前記アクション領域の表示を止めてアクション選択を禁止することを特徴とする付記１２乃至１５のいずれか１項に記載のタッチパネル入力を用いた電子機器の操作受付方法。
【００６４】
（付記２０）
前記実行開始ステップにおいて、前記ドラッグ操作時のドラッグ時間又は前記リリース操作時のリリース時間が所定時間以上であった場合には、前記ドラッグ操作又は前記リリース操作を無効にすることを特徴とする付記１２乃至１５のいずれか１項に記載のタッチパネル入力を用いた電子機器の操作受付方法。
【００６５】
（付記２１）
コンピュータを、付記１乃至１０の何れか１項に記載の制御部として機能させるためのプログラム。
【産業上の利用可能性】
【００６６】
本発明は、タッチパネル入力を用いた電子機器に使用でき、例えば、タッチパネルを有するブラウザ機能において、リンク先を有するホームページの操作に好適に使用することができる。
【符号の説明】
【００６７】
１０１  制御部
１０２  表示制御部
１０３  アクション抽出部
１０４  実行開始部
１０５  ディスプレイ
１０６  タッチパネル
【図１】
2011152335.tif 000003
【図２】
2011152335.tif 000004
【図３】
2011152335.tif 000005
【図４】
2011152335.tif 000006
【図５】
2011152335.tif 000007
【図６】
2011152335.tif 000008
【国際調査報告】
2011152335.tif 000009
2011152335.tif 000010